(57)【要約】【課題】  重要な画像データを簡単な操作で確実に無駄なく保存することができ、また、セキュリティ性を向上させた監視カメラ記録装置を提供することである。【解決手段】  １つまたは複数のカメラ１１からの映像信号を変換部１２でデジタルデータに変換し、最新のデジタルデータを最古のデジタルデータに上書きしてハードディスク記録部１６の通常保存領域１７にリング状に保存する。また、演算処理部１３は、通常保存領域１７に保存されたデジタルデータまたは変換部１２で変換されたライブ映像のデジタルデータを表示部２５に表示し、操作部１９により、表示部２５に表示されたデジタルデータを監視しながら保存すべきデジタルデータが指定されたとき、そのデジタルデータをハードディスク記録部１６の通常保存領域１７から取り出し特別保存領域１８に保存する。【選択図】  図１
2007005870.tif 000002
【特許請求の範囲】
【請求項１】
１つまたは複数のカメラからの映像信号等を受信し、その映像をデジタルデータに変換する変換部と；
前記変換部で変換された最新のデジタルデータを既に保存されているデジタルデータに上書きして保存する通常保存領域と、上書きされない特別保存領域を有するハードディスク記録部と；
前記ハードディスク記録部の通常保存領域に保存されたデジタルデータまたは前記変換部で変換されたライブ映像のデジタルデータを表示する表示部と；
前記表示部に表示されたデジタルデータを監視しながら保存すべきデジタルデータを指定するための操作部と；
前記操作部で指定された保存すべきデジタルデータを前記ハードディスク記録部の通常保存領域から取り出し前記ハードディスク記録部の特別保存領域に保存する演算処理部と；
を備えたことを特徴とする監視カメラ記録装置。
【請求項２】
前記操作部は、保存すべきデジタルデータの録画開始を指定するための特別保存スタートスイッチと、保存すべきデジタルデータの録画終了を指定するための特別保存ストップスイッチとを備え、前記演算処理部は、前記特別保存スタートスイッチが操作されたときに前記表示部に表示されているデジタルデータから、前記特別保存ストップスイッチが操作されたときに前記表示部に表示されているデジタルデータまでを、前記ハードディスク記録部の特別保存領域に保存することを特徴とする請求項１記載の監視カメラ記録装置。
【請求項３】
前記演算処理部は、前記特別保存スタートスイッチが操作されたときに前記表示部に表示されているデジタルデータより、所定時間前のデジタルデータから前記ハードディスク記録部の特別保存領域に保存することを特徴とする請求項２記載の監視カメラ記録装置。
【請求項４】
前記演算処理部は、前記操作部のマニュアル操作を受け付けなくする操作ロック機能の設定時は固定パスワードで、前記操作ロック機能の解除時は変更可能パスワードで管理することを特徴とする請求項１ないし３のいずれか一記載の監視カメラ記録装置。
【請求項５】
前記演算処理部は、前記操作部のマニュアル操作を受け付けなくする操作ロック機能の解除機能として特別解除機能を有し、その特別解除機能により、操作ロック機能の解除が行われたときは、その操作履歴を保存することを特徴とする請求項４記載の監視カメラ記録装置。
【発明の詳細な説明】
【技術分野】
【０００１】
本発明は、監視カメラで撮影した画像をデジタルデータに変換して管理する監視カメラ記録装置に関する。
【背景技術】
【０００２】
コンビニエンスストアやスーパーマーケットなどで使用されている監視カメラシステムには、監視カメラで撮影した映像信号をデジタル化し、デジタルデータとして記憶媒体に記録することが行われているものがある。
【０００３】
このような監視カメラシステムでは、監視カメラで撮影した映像信号をデジタルデータに変換して記録するので大容量の記憶媒体が必要である。そこで、例えばハードディスク（ＨＤＤ）を用いてデジタルデータを保存するようにし、記憶容量が一杯になると自動的に最も古いデータを自動的に消去し、順次古いデータを消去しながら、新のデータをリング的に記憶するようにしている。
【０００４】
このため重要な画像データは、自動的に消去されない特別保存領域に保存している。その保存の方式は、画像データの記録された時刻を指定して全てのカメラ映像を保存している。例えば、記憶容量に大きな記憶媒体の領域を有効に使用することで、通常の監視データについては記憶と消去をリング的に自動的に行えるようにするほかに、消去したくない画像データについては自動的には消去せずに保存可能にするようにしたものがある（例えば、特許文献１参照）。
【０００５】
一方、このような監視カメラシステムには、特別保存領域に保存した画像データ等の読み出しや消去等を不用意に行えないようにするために、操作ロックを設定する機能が備えられている。操作ロックが設定されると、マニュアル操作による操作スイッチの受け付けが行われなくなり現状の状態が維持される。この操作ロックの設定は固定パスワードで行われており、また、操作ロックの解除も予め定めた固定パスワードで行われている。
【特許文献１】特開２００３−１１１０１７号公報
【発明の開示】
【発明が解決しようとする課題】
【０００６】
ところが、重要な画像データの特別保存領域への保存を行う際には、再生画像やライブ映像を見ていて、保存したい重要な映像に遭遇しても即座にその画像を特別保存領域に保存することができない。そこで、その画像が写し出された開始時刻と終了時刻を記憶またはメモしておいて、再生画像の再生が終了した後あるいはライブ画像の所定時間の保存後に、特別保存操作でその時刻をインプットし特別保存する操作となっている。そのため、保存したい画像データが複数あると特別保存のための操作が煩雑となる。また、細かく必要な映像のみを秒単位で指定することが困難であり、不要なデータも含めて保存することとなる。
【０００７】
一方、操作ロックの設定や解除は固定パスワードで管理されているので、もし、その固定パスワードが第三者に判明してしまうとその後の有効性がなくなってしまう。そうすると、せっかく保存した重要な映像が勝手に読み出されたり消去されたりすることがありセキュリティ性が低下する。
【０００８】
本発明の目的は、重要な画像データを簡単な操作で確実に無駄なく保存することができ、また、セキュリティ性を向上させた監視カメラ記録装置を提供することである。
【課題を解決するための手段】
【０００９】
請求項１の発明に係わる監視カメラ記録装置は、１つまたは複数のカメラからの映像信号等を受信し、その映像をデジタルデータに変換する変換部と；前記変換部で変換された最新のデジタルデータを既に保存されているデジタルデータに上書きして保存する通常保存領域と、上書きされない特別保存領域を有するハードディスク記録部と；前記ハードディスク記録部の通常保存領域に保存されたデジタルデータまたは前記変換部で変換されたライブ映像のデジタルデータを表示する表示部と；前記表示部に表示されたデジタルデータを監視しながら保存すべきデジタルデータを指定するための操作部と；前記操作部で指定された保存すべきデジタルデータを前記ハードディスク記録部の通常保存領域から取り出し前記ハードディスク記録部の特別保存領域に保存する演算処理部と；を備えたことを特徴とする。
【００１０】
本発明および以下の発明において、特に指定しない限り用語の定義及び技術的意味は以下による。
【００１１】
監視カメラ記録装置は、１つまたは複数のカメラからの映像信号や音声信号等を受信し、その映像をデジタルデータに変換して管理するものであり、例えば、コンビニエンスストアやスーパーマーケットなどで使用されている監視カメラシステムに用いられる。ハードディスク記録部は通常保存領域と特別保存領域とを有し、デジタルデータはハードディスク記録部の通常保存領域に最新のデジタルデータを最古のデジタルデータに上書きしてリング状に保存され、特別保存領域には操作部により指定された保存すべき重要な画像のデジタルデータが保存される。
【００１２】
表示部には、ハードディスク記録部の通常保存領域に記憶されたデジタルデータの再生画像またはカメラからのライブ画像のいずれかが表示され、表示部に表示されたデジタルデータを監視しながら、操作部により保存すべきデジタルデータを指定する。演算処理部は、操作部で指定された保存すべきデジタルデータをハードディスク記録部の通常保存領域から取り出し、ハードディスク記録部の特別保存領域に保存する。
【００１３】
請求項２の発明に係わる監視カメラ記録装置は、請求項１の発明において、前記操作部は、保存すべきデジタルデータの録画開始を指定するための特別保存スタートスイッチと、保存すべきデジタルデータの録画終了を指定するための特別保存ストップスイッチとを備え、前記演算処理部は、前記特別保存スタートスイッチが操作されたときに前記表示部に表示されているデジタルデータから、前記特別保存ストップスイッチが操作されたときに前記表示部に表示されているデジタルデータまでを、前記ハードディスク記録部の特別保存領域に保存することを特徴とする。
【００１４】
本発明は、表示部に表示されてたデジタルデータを見ながら特別保存領域に保存できるようにしたものである。
【００１５】
請求項３の発明に係わる監視カメラ記録装置は、請求項２の発明において、前記演算処理部は、前記特別保存スタートスイッチが操作されたときに前記表示部に表示されているデジタルデータより、所定時間前のデジタルデータから前記ハードディスク記録部の特別保存領域に保存することを特徴とする。
【００１６】
本発明は、表示部に表示されてたデジタルデータを見ながら特別保存領域に保存する際に、スイッチ操作の遅れを考慮して、特別保存スタートスイッチが操作されたときに、所定時間前のデジタルデータから特別保存領域に保存するようにしたものである。
【００１７】
請求項４の発明に係わる監視カメラ記録装置は、請求項１ないし３のいずれか一の発明において、前記演算処理部は、前記操作部のマニュアル操作を受け付けなくする操作ロック機能の設定時は固定パスワードで、前記操作ロック機能の解除時は変更可能パスワードで管理することを特徴とする。
【００１８】
本発明は、操作ロック機能の解除時は変更可能パスワードで管理するようにしたものである。変更可能パスワードは管理者により任意のパスワードを設定できるものであり、管理者の責任において管理することになる。
【００１９】
請求項５の発明に係わる監視カメラ記録装置は、請求項４の発明において、前記演算処理部は、前記操作部のマニュアル操作を受け付けなくする操作ロック機能の解除機能として特別解除機能を有し、その特別解除機能により、操作ロック機能の解除が行われたときは、その操作履歴を保存することを特徴とする。
【００２０】
本発明は、変更可能パスワードでの解除に加え、さらに特別解除機能を備えたものである。変更可能パスワードは管理者により管理されるものであるが、管理者が忘れた場合を想定し、変更可能パスワード以外の特別解除機能により操作ロック機能を解除できるようにする。その際、特別解除機能を用いて操作ロック機能の解除が行われたことを操作履歴として保存する。
【発明の効果】
【００２１】
請求項１の発明によれば、表示部に表示されたデジタルデータを監視しながら、操作部により保存すべきデジタルデータを指定してハードディスク記録部の特別保存領域に保存するので、消去されたくない重要な画像データを確実に無駄なく保存することができる。
【００２２】
請求項２の発明によれば、保存すべきデジタルデータの指定は、特別保存スタートスイッチおよび特別保存ストップスイッチで行うので、簡単な操作で、消去されたくない重要な画像データを確実に無駄なく保存することができる。請求項３の発明によれば、特別保存スタートスイッチの操作が多少遅れても、保存すべきデジタルデータを的確に保存することができる。
【００２３】
請求項４の発明によれば、変更可能パスワードは管理者により任意のパスワードを設定できるのでセキュリティ性を向上できる。また、請求項５の発明によれば、管理者が変更可能パスワードを忘れた場合にも設定ロック機能を解除できるようにし、その操作履歴を保存するので、メンテナンス性を保持しつつセキュリティ性を向上できる。
【発明を実施するための最良の形態】
【００２４】
（第１の実施の形態）
図１は本発明の第１の実施の形態に係わる監視カメラ記録装置の構成図である。複数台のカメラ１１ａ〜１１ｎは、例えば店舗の各売り場に設置される。カメラ１１ａ〜１１ｎで撮影された映像信号は変換部１２に入力されデジタルデータに変換される。変換部１２で変換されたデジタルデータは演算処理部１３に入力される。
【００２５】
演算処理部１３は表示録画手段１４と特別保存処理手段１５とを有し、表示録画手段１４は、ハードディスク記録部１６の通常保存領域１７に変換部１２で変換されたデジタルデータを最古のデジタルデータに上書きしてリング状に保存する。特別保存処理手段１５はハードディスク記録部１６の通常保存領域１７に保存されたデジタルデータをハードディスク記録部１６の特別保存領域１８に記憶する処理を行う。
【００２６】
操作部１９は演算処理部１３の表示録画手段１４や特別保存処理手段１５に操作指令を出力するものであり、録画スイッチ２０、表示切替スイッチ２１、特別保存スタートスイッチ２２、特別保存ストップスイッチ２３を有している。録画スイッチ２０は変換部１２からのデジタルデータをハードディスク記録部１６の通常保存領域１７に記憶するための指令を表示録画手段１４に出力するものであり、表示録画手段１４は録画スイッチ２０により録画指令があるときは、変換部１２から入力されたデジタルデータをハードディスク記録装置１６の通常保存領域１７に記憶する。
【００２７】
表示切替スイッチ２１は、出力部２４を介して表示部２５に表示されるライブ画像や再生画像の切替を行うものである。例えば、表示録画手段１４は、表示切替スイッチ２１によりライブ画像の表示が指定されているときは、変換部１２から入力されたデジタルデータを出力部２４を介して表示部２５に出力しライブ画像を表示する。一方、表示切替スイッチ２１により再生画像の表示が指定されているときは、出力部２４を介して通常保存領域１７に記憶されたデジタルデータを表示部２５に出力して再生画像を表示する。この場合、録画スイッチ２０からの録画指令があるときは、ライブ画像や再生画像を表示部２５に表示しつつ、変換部１２から入力されたデジタルデータをハードディスク記録装置１６の通常保存領域１７に記憶する。
【００２８】
特別保存スタートスイッチ２２は、表示部２５に表示されているライブ画像または再生画像から、保存すべきデジタルデータの録画開始を指定するものであり、特別保存ストップスイッチ２３は、保存すべきデジタルデータの録画終了を指定するものである。特別保存スタートスイッチ２２が操作されたとすると、演算処理部１３の特別保存処理手段１５は、特別保存スタートスイッチ２２が操作されたときに表示部２５に表示されているデジタルデータから、それ以降のデジタルデータをハードディスク記録部１６の特別保存領域１８に保存設定を開始する。そして、特別保存処理手段１５は特別保存ストップスイッチ２３が操作されると、デジタルデータの特別保存領域１８への保存の終了を設定する。これにより、特別保存スタートスイッチ２２が操作されたときに表示部２５に表示されているデジタルデータから、特別保存ストップスイッチ２３が操作されたときに表示部２５に表示されているデジタルデータまでをハードディスク記録部１６の特別保存領域１８に保存する。これにより、表示部２５に表示されたデジタルデータを監視しながら、消去されたくない重要な画像データを確実に無駄なく保存することができる。
【００２９】
以上の説明では、特別保存スタートスイッチ２２が操作されたときに表示部２５に表示されているデジタルデータから保存開始するようにしたが、特別保存スタートスイッチ２２が操作されたときに表示部２５に表示されているデジタルデータより、所定時間前のデジタルデータから保存するようにしてもよい。これにより、特別保存スタートスイッチ２２の操作が多少遅れても、保存すべきデジタルデータを的確に保存することができる。このように、ライブ映像や再生画像を見ながら、特別保存したい場合は、マニュアルスイッチ操作で自動的に特別保存領域１８に保存することができる。
【００３０】
（第２の実施の形態）
図２は本発明の第２の実施の形態に係わる監視カメラ記録装置の構成図である。この第２の実施の形態は、図１に示した第１の実施の形態に対し、操作部１９に操作ロック設定解除スイッチ２６を設け、演算処理部１３に操作ロック設定解除手段２７および操作履歴記憶部２８を設けたものである。図１と同一要素には同一符号を付し重複する説明は省略する。
【００３１】
図２において、操作ロック設定解除スイッチ２６は、操作部１９の他のスイッチ２０〜２３のマニュアル操作を受け付けなくする操作ロック機能の設定、およびその操作ロック機能の解除を行うスイッチである。操作ロック設定解除スイッチ２６からの操作ロック機能の設定指令は、予め定められた固定パスワードで行われる。演算処理部１３の操作ロック設定解除手段２７は、操作ロック設定解除スイッチ２６からの情報を入力し、操作ロック機能の設定である場合には、その固定パスワードが入力されたか否かを判定する。固定パスワードが入力された場合には、表示録画手段１４および特別保存処理手段１５に操作部１９の各種スイッチ２０〜２３の操作指令を受け付けないように操作ロックを掛ける。
【００３２】
一方、操作ロック設定解除スイッチ２６からの操作ロック機能の解除指令は、変更可能パスワードで行われる。変更可能パスワードは管理者が任意に登録設定できるパスワードであり管理者によって管理される。演算処理部１３の操作ロック設定解除手段２７は、操作ロック設定解除スイッチ２６からの情報を入力し、操作ロック機能の解除である場合には、管理者により予め登録された変更可能パスワードが入力されたか否かを判定する。管理者により予め登録された変更可能パスワードが入力された場合には、表示録画手段１４および特別保存処理手段１５に対し、操作部１９の各種スイッチ２０〜２３からの操作指令を受け付け可能とするように、その操作ロックを解除する。
【００３３】
ここで、変更可能パスワードは管理者により管理されるものであるが、管理者が変更可能パスワードを忘れた場合には操作ロックを解除することができない。そこで、管理者が変更パスワードを忘れた場合を考慮し、変更可能パスワード以外の特別解除機能により操作ロック機能を解除できるようにする。この特別解除機能は、例えば、製品製造者のみが知っている一時的な操作ロック解除機能であり、その操作をした場合には、操作履歴記憶部２８に記録として残し、ユーザーに知らせることができるものとする。すなわち、特別解除機能を用いて操作ロック機能の解除が行われたことを操作履歴として操作履歴記憶部２８に保存する。
【００３４】
このように、操作部１９のマニュアル操作を受け付けなくする操作ロック機能の設定時は固定パスワードで、操作ロック機能の解除時は変更可能パスワードで管理するので、セキュリティが向上する。また、操作部１９のマニュアル操作を受け付けなくする操作ロック機能の解除機能として特別解除機能を有し、その特別解除機能により、操作ロック機能の解除が行われたときは、その操作履歴を保存するので、メンテナンス性を保持しつつセキュリティ性を向上できる。
【図面の簡単な説明】
【００３５】
【図１】本発明の第１の実施の形態に係わる監視カメラ記録装置の構成図。
【図２】本発明の第２の実施の形態に係わる監視カメラ記録装置の構成図。
【符号の説明】
【００３６】
１１…カメラ、１２…変換部、１３…演算処理部、１４…表示録画手段、１５…特別保存処理手段、１６…ハードディスク記録部、１７…通常保存領域、１８…特別保存領域、１９…操作部、２０…録画スイッチ、２１…表示切替スイッチ、２２…特別保存スタートスイッチ、２３…特別保存ストップスイッチ、２４…出力部、２５…表示部、２６…操作ロック設定解除スイッチ、２７…操作ロック設定解除手段、２８…操作履歴記憶部
【図１】
2007005870.tif 000003
【図２】
2007005870.tif 000004